(57)【要約】【課題】従来よりも施工作業を軽減し得る床用目地カバー装置を提案する。【解決手段】建造物Ｐ，Ｑの目地Ｓ間に差し渡された複数の伸縮支持梁５ａ，５ｂ上に、複数の短冊状分割板２２ａ，２２ｂを目地Ｓの幅方向に並列してなる可変カバー板２１が建造物Ｐに連結されて載置されると共に、目地Ｓの幅方向に並ぶ複数の摺動梁３２を所定長さの鎖状紐３３により連鎖してなる摺動支持部材３１が建造物Ｑと可動カバー板２１とに連結されて載置され、さらに、建造物Ｑに移動不能に保持して摺動支持部材３１に乗載される乗載カバー板４１が、その自由端部４１ｂを可変カバー板２１に乗載するように配されたものであるから、建造物Ｐ，Ｑが相対変位した場合に、鎖状紐３３の長さ以下の間隔に維持される各摺動梁３２によって乗載カバー板４１を支持できるため、該乗載カバー板４１の板厚を薄くしても所望の耐荷重強度が得られる。【選択図】図２
2014214570.tif 000002
【特許請求の範囲】
【請求項１】
隣接する建造物の床相互間の目地に差し渡されて、該目地を覆う床用目地カバー装置であって、
両端が両側の建造物に水平方向に回動可能とするように夫々連結され、目地の長手方向に所定間隔をおいて並設された、目地の幅方向に伸縮可能な複数の伸縮支持梁と、
目地の長手方向に沿って延在する複数の短冊状分割板が目地の幅方向に並列され、隣り合う短冊状分割板同士が目地の長手方向に摺動可能とするように連結されて略平板矩形状に形成されてなり、その基端部が一方の建造物側に連結された状態で前記伸縮支持梁上に摺動可能に載置された可変カバー板と、
目地の長手方向に沿って延在する複数の摺動梁が目地の幅方向に並ぶように前記伸縮支持梁上に摺動可能に載置され、隣り合う摺動梁同士を所定長さの鎖状紐により連鎖して形成されてなり、その一端部を他方の建造物側に連結し且つ他端部を前記可変カバー板に連結してなる摺動支持部材と、
平板状に形成され、一端部を他方の建造物側に対して移動不能に保持し且つ他端部を自由端部として、該自由端部が前記可変カバー板上に乗載されてなり、前記伸縮支持梁との間で前記摺動支持部材の摺動梁を摺動可能とするように、該摺動梁により支持される乗載カバー板と
を備えたものであることを特徴とする床用目地カバー装置。
【請求項２】
隣接する建造物が目地の長手方向に相対変位する際に、水平方向へ回動する伸縮支持梁に追従するように、可変カバー板の各短冊状分割板を目地の長手方向に夫々摺動させる分割板ガイド手段を備えると共に、
前記した水平方向へ回動する伸縮支持梁に追従するように、摺動支持部材の各摺動梁を目地の長手方向に夫々摺動させる梁ガイド手段を備えていることを特徴とする請求項１に記載の床用目地カバー装置。
【請求項３】
分割板ガイド手段は、
可変カバー板を構成する各短冊状分割板の長手方向の両端部下に夫々設けられ、両端が両側の建造物に水平方向に回動可能とするように夫々連結された、目地の幅方向に伸縮可能な断面円形状のガイド杆と、
可変カバー板を構成する各短冊状分割板の長手方向の両端部から夫々下方へ突成され、前記ガイド杆に当接される断面円形状のガイド突片と
を備えたものであることを特徴とする請求項２に記載の床用目地カバー装置。
【請求項４】
梁ガイド手段は、摺動支持部材を構成する各摺動梁の長手方向の両端部から夫々下方へ突成され、伸縮支持梁に当接される断面円形状のガイド突片を備えたものであることを特徴とする請求項２に記載の床用目地カバー装置。
【発明の詳細な説明】
【技術分野】
【０００１】
本発明は、隣接する建造物の床相互間の目地を覆う床用目地カバー装置に関する。
【背景技術】
【０００２】
近年、地震による被害を最小限に留めるために、緩衝機能を備えた免震装置によって下部を支持した建造物が多く建設されている。こうした免震構造の建造物では、隣接する建造物との間に、地震による変位を吸収し得る比較的広幅の目地（クリアランス）が形成される。こうした目地には、該目地の間に差し渡されて、両建造物間の通路を構成する床用目地カバー装置が配設されている（特許文献１参照）
【０００３】
特許文献１の床用目地カバー装置（エキスパンションジョイント床構造）は、両建造物の間に架け渡されて可動床として機能する可動プレートを備えている。この可動プレートは、目地幅方向（架設方向）に移動可能に、かつ、水平方向に回動可能となるように建造物に保持されており、両建造物が水平方向に相対変位した時に、可動プレートが移動・回動して両建造物に追従することでひずみを吸収し得るよう構成されている。
【先行技術文献】
【特許文献】
【０００４】
【特許文献１】特開２０１１−２６８２５号公報
【発明の概要】
【発明が解決しようとする課題】
【０００５】
上述した特許文献１の床用目地カバー装置では、目地よりも広幅の可動プレートを収容するための空間が、一方または両方の建造物の床下に形成される。こうした空間は、隣接する建造物が近接する方向に大きく相対変位した場合に、前記可動プレートを支障なく収容できる充分な広さに設定されている。そのため、この空間を形成する床板には、通行する人や台車などの荷重に充分に耐え得るように、比較的厚い板厚の鋼板が用いられている。しかしながら、このような板厚の厚い鋼板は、薄い鋼板に比して重量が重いことから、その施工作業が難しく、該施工に要する時間とコストが増大するという問題がある。
【０００６】
本発明は、かかる問題点の解決を目的とするものであり、従来よりも施工作業を軽減し得る床用目地カバー装置の提供を目的とする。
【課題を解決するための手段】
【０００７】
本発明は、隣接する建造物の床相互間の目地に差し渡されて、該目地を覆う床用目地カバー装置であって、両端が両側の建造物に水平方向に回動可能とするように夫々連結され、目地の長手方向に所定間隔をおいて並設された、目地の幅方向に伸縮可能な複数の伸縮支持梁と、目地の長手方向に沿って延在する複数の短冊状分割板が目地の幅方向に並列され、隣り合う短冊状分割板同士が目地の長手方向に摺動可能とするように連結されて略平板矩形状に形成されてなり、その基端部が一方の建造物側に連結された状態で前記伸縮支持梁上に摺動可能に載置された可変カバー板と、目地の長手方向に沿って延在する複数の摺動梁が目地の幅方向に並ぶように前記伸縮支持梁上に摺動可能に載置され、隣り合う摺動梁同士を所定長さの鎖状紐により連鎖して形成されてなり、その一端部を他方の建造物側に連結し且つ他端部を前記可変カバー板に連結してなる摺動支持部材と、平板状に形成され、一端部を他方の建造物側に対して移動不能に保持し且つ他端部を自由端部として、該自由端部が前記可変カバー板上に乗載されてなり、前記伸縮支持梁との間で前記摺動支持部材の摺動梁を摺動可能とするように、該摺動梁により支持される乗載カバー板とを備えたものであることを特徴とする床用目地カバー装置である。ここで、少なくとも可変カバー板が目地を直接的に覆うようになっていれば良い。また、「目地の幅方向」とは、目地を横断して両建造物の床相互を差し渡す方向であり、「目地の長手方向」とは、目地の幅方向と直交する方向を意味する。
【０００８】
かかる構成にあっては、乗載カバー板を、可変カバー板と他方の建造物との間で目地の幅方向に並ぶ複数の摺動梁によって支持することから、乗載カバー板上に掛かる荷重を複数の摺動梁により支えることができる。ここで、複数の摺動梁が鎖状紐により連鎖されていることから、隣り合う建造物が目地の幅方向に相対変位することによって、可変カバー板と他方の建造物との間隔が変化しても、隣り合う摺動梁の間隔は該鎖状紐の長さよりも広くならない。そのため、乗載カバー板を、鎖状紐の長さ以下の間隔で位置する複数の摺動梁によって補強できる。こうしたことから、乗載カバー板の板厚を従来構成に比して薄くしても、乗載カバー板上に掛かる荷重に対して充分な耐荷重強度が得られる。したがって、本発明の構成によれば、前記した耐荷重強度を低下させることなく、乗載カバー板の板厚を薄くできることから、該乗載カバー板の重量が軽くなり、その施工作業に要する負担を軽減することができる。
【０００９】
尚、乗載カバー板の板厚は、その大きさ、摺動梁の配設個数、鎖状紐の長さ等によって設定できることから、これらを適正化することによって、従来構成に比して半分以下に薄くすることが可能である。そして、このように薄い乗載カバー板を用いても充分な耐荷重強度が得られることから、上記した施工作業に要する負担を軽減するという作用効果が飛躍的に向上する。
【００１０】
上述した本発明の床用目地カバー装置にあって、隣接する建造物が目地の長手方向に相対変位する際に、水平方向へ回動する伸縮支持梁に追従するように、可変カバー板の各短冊状分割板を目地の長手方向に夫々摺動させる分割板ガイド手段を備えると共に、前記した水平方向へ回動する伸縮支持梁に追従するように、摺動支持部材の各摺動梁を目地の長手方向に夫々摺動させる梁ガイド手段を備えている構成が提案される。
【００１１】
かかる構成にあっては、隣り合う建造物が目地の長手方向に相対変位した場合に、該相対変位に伴って回動変位した伸縮支持梁に追従するように、可変カバー板の各短冊状分割板が目地の長手方向に摺動すると共に、摺動支持部材の各摺動梁が目地の長手方向に摺動するものである。そのため、目地の長手方向に相対変位した場合にも、可変カバー板と他方の建造物との間で各摺動梁によって乗載カバー板を補強する効果が安定して発揮され得る。したがって、薄い板厚の乗載カバー板を用いても充分な耐荷重強度が発揮できるという上述した本発明の作用効果が、前記した目地の長手方向への相対変位した場合にも安定して発揮され得る。
【００１２】
上述した本発明の床用目地カバー装置にあって、分割板ガイド手段は、可変カバー板を構成する各短冊状分割板の長手方向の両端部下に夫々設けられ、両端が両側の建造物に水平方向に回動可能とするように夫々連結された、目地の幅方向に伸縮可能な断面円形状のガイド杆と、可変カバー板を構成する各短冊状分割板の長手方向の両端部から夫々下方へ突成され、前記ガイド杆に当接される断面円形状のガイド突片とを備えたものである構成が提案される。ここで、長手方向両側のガイド突片は、ガイド杆の両外側または両内側に夫々当接するようにしていれば良い。
【００１３】
かかる構成にあっては、隣り合う建造物が目地の長手方向に相対変位した場合に、ガイド杆が伸縮支持梁と同様に水平回動することから、該ガイド杆に当接されたガイド突片によって各短冊状分割板を該水平回動に倣うように個別に摺動させることができる。これにより、目地の長手方向への相対変位に追従するように、各短冊状分割板を安定して摺動させ得る。
【００１４】
上述した本発明の床用目地カバー装置にあって、梁ガイド手段は、摺動支持部材を構成する各摺動梁の両端部から夫々下方へ突成され、伸縮支持梁に当接される断面円形状のガイド突片を備えたものである構成が提案される。ここで、長手方向両側のガイド突片は、目地の長手方向の両外側に設けられた伸縮支持梁の外側又は内側に夫々当接するようにしていれば良い。
【００１５】
かかる構成にあっては、隣り合う建造物が目地の長手方向に相対変位した場合に、水平回動する伸縮支持梁に当接されたガイド突片によって、各摺動梁を該水平回動に倣うように個別に摺動させることができる。これにより、目地の長手方向への相対変位に追従するように、各摺動梁を安定して摺動させ得る。
【発明の効果】
【００１６】
本発明は、上述したように、乗載カバー板を目地の幅方向に並ぶ複数の摺動梁によって支持することから、該乗載カバー板を従来よりも薄い板厚としても充分な耐荷重強度が得られる。さらに、各摺動梁が鎖状紐により連鎖されていることから、隣り合う建造物が相対変位した場合にも、摺動梁の間隔が鎖状紐の長さ以下の間隔で保たれ、乗載カバー板の補強効果を維持できる。したがって、本発明によれば、耐荷重強度を低下させることなく、乗載カバー板の板厚を薄くすることができるため、その施工作業に要する負担を軽減することができ、施工時間とコストとを低減できる。
【図面の簡単な説明】
【００１７】
【図１】床用目地カバー装置１の施工状態を示す平面図である。
【図２】床用目地カバー装置１の施工状態を示す側面図である。
【図３】図１中のＡ−Ａ断面図である。
【図４】図１中のＢ−Ｂ断面図である。
【図５】可変カバー板２１と乗載カバー板４１とを省略して示す床用目地カバー装置１の平面図である。
【図６】乗載カバー板４１を省略して示す床用目地カバー装置１の平面図である。
【図７】図２中のＣ−Ｃ部分拡大図である。
【図８】図３中のＤ−Ｄ部分拡大図である。
【図９】目地Ｓの幅が狭くなる方向への相対変位に対する摺動支持部材３１の作動を示す説明図である。
【図１０】図９（ｃ）の状態から目地Ｓの幅が広くなる方向への相対変位に対する摺動支持部材３１の作動を示す説明図である。
【図１１】目地Ｓの幅方向に沿って接近する場合の、床用目地カバー装置１の作動を示す説明図である。
【図１２】目地Ｓの幅方向に沿って離間する場合の、床用目地カバー装置１の作動を示す説明図である。
【図１３】目地Ｓの長手方向に沿って相対変位する場合の、床用目地カバー装置１の作動を示す説明図である。
【図１４】目地Ｓの幅方向と長手方向とに相対変位する場合の、床用目地カバー装置１の作動を示す説明図である。
【発明を実施するための形態】
【００１８】
本発明の実施形態を、図１〜１４に基づいて説明する。
実施例の床用目地カバー装置１は、図１〜４に示すように、隣り合う建造物Ｐ，Ｑの間を繋ぐ渡り廊下等の通路Ｌに配設されるものである。ここで、両建造物Ｐ，Ｑは、緩衝機能を備えた免震装置（図示省略）によって下部が支持されたものであり、目地Ｓを介して隣接している。目地Ｓは、地震時における建造物Ｐ，Ｑの水平方向の相対的な変位を吸収するために設けられている。そして、床用目地カバー装置１は、この目地Ｓを差し渡すように両建造物Ｐ，Ｑに取り付けられ、目地形成箇所における通路Ｌの床を形成する。
【００１９】
上記の建造物Ｐの床Ｒ１の側縁と建造物Ｑの床Ｒ２の側縁には、目地Ｓの長手方向に沿って受枠１１，１２が対向するように配設されている。そして、受枠１１，１２間に、目地Ｓの長手方向に所定間隔をおいて複数の伸縮支持梁５ａ，５ｂが差し渡されている（図５参照）。本実施例にあっては、伸縮支持梁５ａ，５ｂが五個配設されている。この伸縮支持梁５ａ，５ｂは、上方開口する断面仰コ字形の嵌挿受部材６と、該嵌挿受部材６の内部に摺動可能に嵌挿される断面略四角環状の挿通部材７とから構成されており、嵌挿受部材６が建造物Ｑの受枠１２に連結され、挿通部材７が建造物Ｐの受枠１１に連結されている（図５，８参照）。ここで、受枠１１，１２には、互いに対向する位置に円柱状の係合突部（図示せず）が複数突成されており、受枠１１の係合突部には、挿通部材７の端部に開口形成された係合孔（図示せず）が回動可能に嵌め合わされ、受枠１２の係合突部には、嵌挿受部材６の端部に開口形成された係合孔（図示せず）が回動可能に嵌め合わされている。これにより、伸縮支持梁５ａ，５ｂが、建造物Ｐ，Ｑに水平方向に回動可能に連結されている。さらに、伸縮支持梁５ａ，５ｂの嵌挿受部材６は、建造物Ｑの床Ｒ２に設置された複数のベース部材１０上に摺動可能に載置されており、該載置された状態で、伸縮支持梁５ａ，５ｂが水平方向に保持される。
【００２０】
こうした伸縮支持梁５ａ，５ｂを構成する嵌挿受部材６には、図８のように、その上方開口する側縁に、水平方向に沿った上面を有する鍔部６ａ，６ａが設けられている。そして、鍔部６ａ，６ａの上面と、嵌挿受部材６に嵌挿された挿通部材７の上面とが、略同じ高さとなるように設けられている。さらに、本実施例にあっては、嵌挿受部材６の内側底面に、その長手方向に沿って延在する断面円形の線条（図示せず）が配設されており、該線条に挿通部材７が乗載されている。これにより、嵌挿受部材６と挿通部材７とを相対的に摺動し易くなっている。
【００２１】
このように建造物Ｐ，Ｑの目地Ｓに差し渡された複数（五個）の伸縮支持梁５ａ，５ｂには、図１，６のように、複数の短冊状分割板２２ａ，２２ｂを備えた可変カバー板２１と、複数の摺動梁３２を備えた摺動支持部材３１とが乗載されている。
【００２２】
上記の可変カバー板２１は、目地Ｓの長手方向に延在する複数の短冊状分割板２２ａ，２２ｂが並列されて構成されている。この可変カバー板２１は、その基端部が建造物Ｐの受枠１１に連結されており、その下面が上記の伸縮支持梁５ａ，５ｂによって支持されている。各短冊状分割板２２ａ，２２ｂは、断面が等脚台形状をなす筒状の金属杆により構成されており（図７参照）、そして、全ての短冊状分割板２２ａ，２２ｂは長手方向および短手方向の寸法が略同じである。各短冊状分割板２２ａ，２２ｂが、その長手方向を目地Ｓの長手方向と一致させるようにして該目地Ｓの幅方向に並列させることにより、その全体形状が略平板矩形状を成す前記可変カバー板２１が形成される。ここで、各短冊状分割板２２ａ，２２ｂは、図７のように、その長手方向の一側に断面Ｃ字状の連結溝２４が形成され、その反対側（長手方向の他側）に該連結溝２４を嵌合する断面円形の連結突部２５が形成されている。そして、短冊状分割板２２ａ，２２ｂは、隣り合うもの同士が連結溝２４と連結突部２５とを摺動可能に嵌合することにより目地Ｓの幅方向に連結される。この連結状態で可変カバー板２１が形成され、各短冊状分割板２２ａ，２２ｂは目地Ｓの長手方向に個別に移動可能となっている（図１３，１４参照）。
【００２３】
各短冊状分割板２２ａ，２２ｂの連結状態で最も建造物Ｐ側に位置する一の短冊状分割板２２ａが、該建造物Ｐの受枠１１にボルトとナットの緊締を介して連結される（図示せず）。このように建造物Ｐの受枠１１に連結された短冊状分割板２２ａにより、可変カバー板２１の基端部が構成されており、上述したように該基端部が建造物Ｐ側に連結されている。このように連結された各短冊状分割板２２ａ，２２ｂは、目地Ｓの長手方向に所定間隔をおいて差し渡された複数の伸縮支持梁５ａ，５ｂの上面に載置され、該伸縮支持梁５ａ，５ｂ上を摺動可能となっている。
【００２４】
こうした可変カバー板２１にあって、建造物Ｐ側に並列された所定個数の短冊状分割板２２ａには、図７のように、その上面に、ゴム板上に化粧シートを積層してなるパネル状床材２６が夫々貼付されている。ここで、最も建造物Ｑ側の短冊状分割板２２ａに貼付されたパネル状床材２６には、上方傾斜する傾斜部２７が設けられている。一方、建造物Ｑ側には、前記パネル状床材２６が貼付されていない短冊状分割板２２ｂが所定個数並列されている。すなわち、可変カバー板２１の上面は、短冊状分割板２２ａからなる建造物Ｐ側の領域が、短冊状分割板２２ｂからなる建造物Ｑ側の領域に比して、パネル状床材２６の厚み分だけ高くなっている。尚、パネル状床材２６の厚みは、後述するように乗載カバー板４１の板厚とほぼ等しくしている。
【００２５】
さらに、各短冊状分割板２２ａ，２２ｂには、図２，３のように、その長手方向の両端部に、下方へ突出するガイド突片２８，２８が夫々設けられている。このガイド突片２８は、図７，８のように、断面円形状のボルト構造から成り、略鉛直下方に突出するように各短冊状分割板２２ａ，２２ｂの両端部に固定されている。ガイド突片２８，２８は、各短冊状分割板２２ａ，２２ｂの長手方向両端部の下方に夫々配設された断面円形状のガイド杆１６，１６に夫々当接される。ここで、ガイド杆１６，１６は、図３，５のように、各短冊状分割板２２ａ，２２ｂの長手方向両端部を夫々支持する伸縮支持梁５ｂ，５ｂの夫々外側に、該伸縮支持梁５ｂに沿うように配設されている。そして、各ガイド杆１６は、その両端部が伸縮支持梁５ｂの両端部に固定されて並設されており、該伸縮支持梁５ｂと一緒に水平方向へ回動可能となっている。すなわち、各ガイド杆１６は、建造物Ｐの受枠１１と建造物Ｑの受枠１２とに水平方向へ回動可能に夫々連結されている。さらに、各ガイド杆１６は、円筒状の嵌合筒部１７と該嵌合筒部１７内に嵌入された円筒状の挿通筒部１８とから構成されており（図８参照）、目地Ｓの幅方向へ伸縮可能となっている。これにより、ガイド杆１６は、建造物Ｐ，Ｑの相対変位に伴って、伸縮支持梁５ｂと一体的に動く。こうしたガイド杆１６，１６に、図３，８のように、目地Ｓの長手方向の両外側から各短冊状分割板２２ａ，２２ｂのガイド突片２８，２８が夫々当接されていることから、建造物Ｐ，Ｑが目地Ｓの長手方向に相対変位した場合に、伸縮支持梁５ａ，５ｂと同様に水平回動するガイド杆１６，１６によって各短冊状分割板２２ａ，２２ｂのガイド突片２８，２８が目地Ｓの長手方向に押し付けられる。これにより、各短冊状分割板２２ａ，２２ｂが、伸縮支持梁５ａ，ｂの水平回動に倣うように、目地Ｓの長手方向に個別に移動する。尚、こうしたガイド杆１６とガイド突片２８とにより、本発明にかかる分割板ガイド手段が実現されている。
【００２６】
一方、上記した摺動支持部材３１は、図１〜６のように、目地Ｓの長手方向に延在する複数の摺動梁３２が目地Ｓの幅方向に並ぶように配設されてなる。摺動梁３２は、断面四角形状の鋼製パイプ材からなり、その長手方向の寸法が上記した短冊状分割板２２ａ，２２ｂの長さ寸法よりも僅かに短く、その高さ寸法が短冊状分割板２２ｂ（パネル状床材２６の無い構成）の高さ寸法と略同じである。各摺動梁３２は、上記した複数の伸縮支持梁５ａ，５ｂ上に摺動可能に載置される。さらに、各摺動梁３２には、その長手方向の両端に、隣り合うもの同士を連結する所定長さの鎖状紐３３が夫々取り付けられており、これによって全ての摺動梁３２が連鎖されている。そして、最も建造物Ｐ側に配置された摺動梁３２は、鎖状紐３３，３３により、上記の可変カバー板２１に連結されている。すなわち、可変カバー板２１の、最も建造物Ｑ側に位置する短冊状分割板２２ｂの両端と、最も建造物Ｐ側に配置された摺動梁３２の両端とに、鎖状紐３３，３３が夫々取り付けられている。また、上記した伸縮支持梁５ｂ，５ｂの受枠１２側端部に、摺動梁３２と同じ寸法形状の鋼製パイプ材からなる固定梁３５が連結されている。すなわち、摺動梁３２の長手方向両端部を支持する伸縮支持梁５ｂ，５ｂは、その嵌挿受部材６の鍔部６ａの受枠１２側端部に、円形の係合孔（図示せず）が開口形成されており、各係合孔に、前記固定梁３５の両端部から下方へ突成された断面円形の係合突部（図示せず）が回動可能に嵌入されている。そして、この固定梁３５の両端と、最も建造物Ｑ側に配置された摺動梁３２の両端とに、鎖状紐３３，３３が夫々取り付けられている。
【００２７】
こうした摺動支持部材３１は、図１０のように、可変カバー板２１によって建造物Ｐ側へ引っ張られることにより、建造物Ｐ側の摺動梁３２から順に鎖状紐３３により引っ張られて移動する。この際に、各摺動梁３２の間隔は、鎖状紐３３の長さより広くならず、該間隔の最大値は鎖状紐３３の長さにより規定される。ここで、隣り合う摺動梁３２同士を繋ぐ各鎖状紐３３は、全て同じ長さとしていることから、各摺動梁３２の間隔の最大値は全て同じである。また、摺動支持部材３１は、図９のように、可変カバー板２１が建造物Ｑ側へ移動すると、建造物Ｐ側の摺動梁３２から順に該可変カバー板２１により押し付けられて移動する。
【００２８】
さらに、各摺動梁３２には、図３，４のように、その長手方向の両端寄り部位に、鉛直下方へ突出する断面円形のガイド突片３４，３４が夫々形成されている。このガイド突片３４，３４は、各摺動梁３２の長手方向両端部を支持する伸縮支持梁５ｂ，５ｂの側部に当接するように設けられている（図８参照）。すなわち、伸縮支持梁５ｂ，５ｂを構成する嵌挿受部材６の、内側の鍔部６ａの側部に、各摺動梁３２のガイド突片３４，３４が当接する。これにより、建造物Ｐ，Ｑが目地Ｓの長手方向に相対変位した場合に、伸縮支持梁５ｂの水平回動によって各摺動梁３２のガイド突片３４が目地Ｓの長手方向に押し付けられることから、各摺動梁３２が伸縮支持梁５ｂの水平回動に倣うように目地Ｓの長手方向に個別に移動する。尚、こうしたガイド突片３４と該ガイド突片３４に当接する伸縮支持梁５ｂとにより、本発明にかかる梁ガイド手段が構成されている。
【００２９】
また、図１〜４のように、上記した摺動支持部材３１上に、平板状の鋼板からなる乗載カバー板４１が配設される。この乗載カバー板４１は、その建造物Ｑ側の一端部４１ａが、該建造物Ｑの受枠１２に設けられた水平支持縁１２ａに螺子により締結されて固定されており（図９，１０参照）、建造物Ｐ側の端部４１ｂが、上記した可変カバー板２１の短冊状分割板２２ｂ上に載置される。これにより、乗載カバー板４１は、その一端部４１ａが建造物Ｑの受枠１２に移動不能に支持され、他端部４１ｂが自由端部（４１ｂ）となっている。ここで、受枠１２の水平支持縁１２ａの上面と、可変カバー板２１の短冊状分割板２２ｂの上面とは略同じ高さ位置としていることから、乗載カバー板４１は水平方向に沿って配設されている。さらに、摺動支持部材３１を構成する各摺動梁３２は、上述したようにその高さ寸法が前記短冊状分割板２２ｂと略同じであることから、乗載カバー板４１は、各摺動梁３２上に載置されている。換言すれば、乗載カバー板４１と上記の伸縮支持梁５ａ，５ｂとの間で、各摺動梁３２が摺動可能となっている（図９，１０参照）。
【００３０】
この乗載カバー板４１は、図８のように、その板厚が、上記した短冊状分割板２２ａに貼付したパネル状床材２６と略同じ厚みに設定している。これにより、自由端部４１ｂを短冊状分割板２２ｂ上に載置した状態で、乗載カバー板４１の上面と、可変カバー板２１の短冊状分割板２２ａのパネル状床材２６の上面とが、略同じ高さ位置となるようにしている。尚、乗載カバー板４１の上面には、仕上げ材（図示せず）が貼り付けられている。さらに、乗載カバー板４１の自由端部４１ｂには、その端縁に亘って、外方へ突出する薄板４５が取り付けられている。
【００３１】
さらに、この乗載カバー板４１の自由端部４１ｂには、その端縁に、下方傾斜する傾斜部４２が形成されている。この乗載カバー板４１の傾斜部４２は、最も建造物Ｑ側の短冊状分割板２２ａに設けたパネル状床材２６の傾斜部２７と対向するように設けられている。そのため、建造物Ｐ，Ｑが近接する方向に相対変位した場合に、短冊状分割板２２ａに設けた傾斜部２７が乗載カバー板４１の傾斜部４２に突き当たり、その案内作用によって該乗載カバー板４１の自由端部４１ｂが短冊状分割板２２ａ上に乗り上げる。このように、可変カバー板２１は、乗載カバー板４１の下側に容易に入り込み易くなっている。
【００３２】
尚、こうした乗載カバー板４１は、その目地Ｓの長手方向の長さ寸法が上記摺動梁３２の長さより僅かに長い寸法に設定され、目地Ｓの幅方向の長さ寸法が、自由端部４１ｂを短冊状分割板２２ｂ上に載置できる寸法に設定されており、略長方形状となっている。
【００３３】
上述した床用目地カバー装置１にあって、乗載カバー板４１の板厚は、その板面積、摺動支持部材３１を構成する摺動梁３２の配設個数、各摺動梁３２を連鎖する鎖状紐３４の長さ等に基づいて設定することができる。すなわち、乗載カバー板４１は摺動梁３２により補強されることから、所望の耐荷重強度を発揮できるように、摺動梁３２の間隔（鎖状紐３４の長さ）と乗載カバー板４１の板厚とを設定できる。乗載カバー板４１は摺動支持部材３１により支持されることから、後述するように、耐荷重強度を低下させることなく、乗載カバー板４１の板厚を、従来に比して半分以下とすることが可能である。
【００３４】
次に、床用目地カバー装置１の作動について説明する。
床用目地カバー装置１は、常態で、図１１（ａ）のように隣り合う建造物Ｐ，Ｑに配設した受枠１１，１２が正対する位置にあり、目地Ｓに差し渡された複数の伸縮支持梁５ａ，５ｂが該目地Ｓの幅方向（長手方向と直交する方向）に沿った状態となっている。そして、乗載カバー板４１は、その自由端部４１ｂが可変カバー板２１の短冊状分割板２２ｂに乗載され、該自由端部４１ｂと最も建造物Ｑ側の短冊状分割板２２ａとがほぼ突き合わされるように位置している（図８参照）。この状態では、乗載カバー板４１が、全ての短冊状分割板２２ｂを覆うようにして該短冊状分割板２２ｂ上に載置されていると共に、可変カバー板２１と建造物Ｑ側の受枠１２との間では摺動梁３２上に乗載されている（図１，２参照）。乗載カバー板４１と可変カバー板２１とは、建造物Ｐの床Ｒ１と建造物Ｑの床Ｒ２とを相互に差し渡しており、該床Ｒ１，Ｒ２と共に目地Ｓを横断する通路Ｌを形成している。こうした常態では、図９（ａ）のように、各摺動梁３２が、可変カバー板２１と建造物Ｑ側の受枠１２との間で、鎖状紐３３の長さよりも短い間隔で配置されていることから、乗載カバー板４１を補強して所望の耐荷重強度を発揮できる。ここで、例えば、施工時に、各摺動梁３２を目地Ｓの幅方向に略均等間隔で配置したとすれば、当該間隔では鎖状紐３３が充分に弛んでおり、地震等による移動がなければ当該間隔が維持され得る。
【００３５】
尚、常態では、可変カバー板２１を構成する各短冊状分割板２２ａ，２２ｂは、その両端のガイド突片２８，２８が伸縮支持梁５ｂ，５ｂと平行するガイド杆１６，１６に当接していることから、図１１（ａ）のように、目地Ｓの幅方向に沿って整列しており、可変カバー板２１は略長方形状となっている。同様に、摺動支持部材３１を構成する各摺動梁３２は、その両端のガイド突片３４，３４が伸縮支持梁５ｂ，５ｂの側部に当接していることから、目地Ｓの幅方向に沿って整列している。
【００３６】
地震などによって建造物Ｐ，Ｑが接近する方向に相対変位した場合、図１１（ｂ）のように、床用目地カバー装置１は、各伸縮支持梁５ａ，５ｂが収縮すると共に、可変カバー板２１が乗載カバー板４１の下側へ深く進入し、これによって目地幅の収縮に伴う歪みを吸収する。そして、可変カバー板２１と建造物Ｑの受枠１２とが相対的に近づくことから、図９（ｂ），（ｃ）のように、摺動梁３２は、建造物Ｐ側に位置するものから順に、可変カバー板２１（最も建造物Ｑ側の短冊状分割板２２ｂ）に押されて、建造物Ｑ側へ移動する。ここで、各摺動梁３２は、伸縮支持梁５ｂ，５ｂに当接したガイド突片３４，３４によって、互いに略平行な状態を維持して移動することから、隣り合う摺動梁３２の間隔が目地Ｓの長手方向で略等しい。この場合には、可変カバー板２１によって押された摺動梁３２の間隔が常態よりも狭くなることから、乗載カバー板４１の補強効果が保たれ、耐荷重強度も低下しない。一方、建造物Ｐ，Ｑが離間する方向に相対変位した場合、図１２のように、各伸縮支持梁５ａ，５ｂが伸長すると共に、可変カバー板２１の、乗載カバー板４１に覆われた部分（短冊状分割板２２ｂ）が、該乗載カバー板４１下から建造物Ｐ側に露出し、これによって目地幅の収縮に伴う歪みを吸収する。そして、可変カバー板２１と建造物Ｑの受枠１２とが相対的に離れることから、図１０のように、摺動梁３２は、建造物Ｐ側に位置するものから順に、鎖状紐３３によって可変カバー板２１（最も建造物Ｑ側の短冊状分割板２２ｂ）に引っ張られて、建造物Ｐ側へ移動する。ここで、各摺動梁３２は、そのガイド突片３４，３４と伸縮支持梁５ｂ，５ｂとの当接によって互いに略平行な状態で移動することから、隣り合うもの同士の間隔が目地Ｓの長手方向で略等しい。こうしたことから、建造物Ｐ側の摺動梁３２の間隔から順に、鎖状紐３３の長さに略等しくなっていく。この場合にも、摺動梁３２の間隔は、鎖状紐３３の長さよりも広くならないことから、所望の耐荷重強度が保たれ得る。
【００３７】
また、地震等によって建造物Ｐ、Ｑが目地Ｓの長手方向に相対変位した場合には、図１３のように、該建造物Ｐ，Ｑの受枠１１，１２が目地Ｓの長手方向にずれることから、各伸縮支持梁５ａ，５ｂは、その両端を連結した受枠１１，１２に対して水平回動し、目地Ｓの幅方向に対して水平方向に傾く。これに伴ってガイド杆１６，１６も伸縮支持梁５ｂ，５ｂと一体的に水平回動することから、可変カバー板２１の各短冊状分割板２２ａ，２２ｂは、そのガイド突片２８，２８が該ガイド杆１６，１６によって目地Ｓの長手方向に押し付けられて個別に移動し、可変カバー板２１が略平行四辺形状に変形する。こうして変形した可変カバー板２１によって、目地Ｓを差し渡す通路Ｌが隙間なく保持され得る。さらに、摺動支持部材３１の各摺動梁３２は、そのガイド突片３４，３４が伸縮支持梁５ｂ，５ｂによって目地Ｓの長手方向に押し付けられて個別に移動する。この際に、各摺動梁３２は、可変カバー板２１により引っ張られるものの、隣り合うもの同士の間隔は鎖状紐３３の長さ以下に保たれ、建造物Ｑの受枠１２と可変カバー板２１との間で乗載カバー板４１を支持する。これにより、建造物Ｐ，Ｑが目地Ｓの長手方向に相対変位した場合にも、乗載カバー板４１の補強効果が維持され、所望の耐荷重強度が保たれ得る。尚、地震等が収まって、建造物Ｐ，Ｑの受枠１１，１２が正対する位置に復帰すると、水平回動した各伸縮支持梁５ａ，５ｂおよびガイド杆１６が目地Ｓの幅方向に沿った状態に戻ることから、各短冊状分割板２２ａ，２２ｂがガイド杆１６，１６によって前記移動と逆方向へ押し付けられて個別に移動し、可変カバー板２１が略長方形状に復元する（図１１（ａ）参照）。同様に、各摺動梁３２も夫々が目地Ｓの幅方向に整列した状態に戻る。こうして床用目地カバー装置１は変位前の常態に復帰する。
【００３８】
さらにまた、地震等によって建造物Ｐ，Ｑが目地Ｓの幅方向と長手方向との両方に相対変位した場合には、図１４のように、床用目地カバー装置１が上述した幅方向の相対変位による作動と長手方向の相対変位による作動とを同時に生じる。これにより、上述したように、目地Ｓを差し渡す通路Ｌが保持されると共に、摺動支持部材３１による乗載カバー板４１の補強効果が維持されて、耐荷重強度を保つことができる。
【００３９】
このように、本実施例の床用目地カバー装置１は、建造物Ｐ，Ｑの、目地Ｓの幅方向および長手方向の相対変位に対して、スムーズに追従して作動することができ、目地Ｓを差し渡す通路Ｌを保持できる。特に、乗載カバー板４１を建造物Ｑの受枠１２と可変カバー板２１との間で支持する各摺動梁３２の間隔は、建造物Ｐ，Ｑの相対変位に関わらず、鎖状紐３３の長さ以下であることから、該乗載カバー板４１の補強効果が安定して発揮され、所望の耐荷重強度が得られる。すなわち、床用目地カバー装置１によれば、両建造物Ｐ，Ｑの間に、負荷に耐え得る、隙間のない通路Ｌを適切に保持することができる。
【００４０】
本実施例の床用目地カバー装置１では、上述したように乗載カバー板４１を支持する摺動支持部材３１を備えたものであることから、該乗載カバー板４１に用いる鋼板の板厚を、従来構成に比して半分以下の厚みにしても充分な耐荷重強度が得られる。例えば、摺動支持部材３１による作用効果を明確化するために、本実施例の構成から摺動支持部材を取り除いた比較構成（図示せず）と比べてみる。この摺動支持部材を備えない比較構成では、乗載カバー板上にかかる負荷を該乗載カバー板のみで支えなけれならないことから、板厚の厚い鋼板を用いなければならない。具体的に、所望の耐荷重強度を発揮するために、乗載カバー板に約２０ｍｍの板厚の鋼板を用いる必要があるとする。これに対して、本実施例の構成では、摺動支持部材３１により乗載カバー板４１を支持することから、同レベルの耐荷重強度を得るためには約９ｍｍの板厚の鋼板を用いれば良い。このように、本実施例の構成によれば、耐荷重強度を低下させることなく、乗載カバー板４１の板厚を半分以下まで薄くでき、これに伴って乗載カバー板４１の重量も軽くなることから、その施工作業に要する負担を軽減でき、施工に要する時間とコストを低減することができる。
【００４１】
また、乗載カバー板４１の板厚と、可変カバー板２１の短冊状分割板２２ａ上に貼付したパネル状床材２６の厚みとを略同じとしていることから、常態で乗載カバー板４１の上面と該乗載カバー板４１から露出する可変カバー板２１の上面とが略同じ高さとなっている。これにより、当該通路Ｌを台車等がスムーズに通行し易いという利点を有する。
【００４２】
なお、本発明の床用目地カバー装置は、上記実施例の形態に限らず本発明の要旨を逸脱しない範囲内において種々変更を加えることができる。例えば、本発明の床用目地カバー装置は、渡り廊下に配設されるものに限らず、異なる建造物間を結ぶ通路全般に適用可能である。
【符号の説明】
【００４３】
１  床用目地カバー装置
５ａ，５ｂ  伸縮支持梁
１６  ガイド杆
２１  可変カバー板
２２ａ，２２ｂ  短冊状分割板
２８  ガイド突片
３１  摺動支持部材
３２  摺動梁
３３  鎖状紐
３４  ガイド突片
４１  乗載カバー板
４１ｂ  自由端部
Ｐ，Ｑ  建造物
Ｓ  目地
【図１】
2014214570.tif 000003
【図２】
2014214570.tif 000004
【図３】
2014214570.tif 000005
【図４】
2014214570.tif 000006
【図５】
2014214570.tif 000007
【図６】
2014214570.tif 000008
【図７】
2014214570.tif 000009
【図８】
2014214570.tif 000010
【図９】
2014214570.tif 000011
【図１０】
2014214570.tif 000012
【図１１】
2014214570.tif 000013
【図１２】
2014214570.tif 000014
【図１３】
2014214570.tif 000015
【図１４】
2014214570.tif 000016